(57)【要約】【課題】回路設計を簡単にするとともに構成要素のコストを減少するために、スイッチの二つのトリガ（オン状態から開回路状態への切替及び開回路状態からオン状態への切替）間のタイミングによってカメラ装置のオートフォーカス及びシャッタのオン／オフを制御する、カメラ装置のシャッタ制御装置を提供することを目的とする。【解決手段】シャッタ制御装置は、出力端子ＯＵＴと接地点ＧＮＤとの間に結合した抵抗３１０と、電源ＶＣＣと出力端子ＯＵＴとの間に結合したスイッチＳ３とを具え、スイッチＳ３が、第１トリガ状態及び第２トリガ状態を有し、スイッチＳ３が第１トリガ状態及び第２トリガ状態を順次生じる間、第１トリガ状態と第２トリガ状態との間のタイミングが、上限と下限との間にある場合、シャッタ制御装置が、カメラ装置が写真を撮るようにカメラ装置のシャッタをターンオン／オフする。【選択図】図３
2007164133.tif 000002
【特許請求の範囲】
【請求項１】
カメラ装置のシャッタを制御するのに適したシャッタ制御装置であって、
出力端子と接地点との間に結合した抵抗と、
電源と前記出力端子との間に結合したスイッチとを具え、
前記スイッチが、第１トリガ状態及び第２トリガ状態を有し、前記スイッチが前記第１トリガ状態及び前記第２トリガ状態を順次生じる間、前記第１トリガ状態と前記第２トリガ状態との間のタイミングが、上限と下限との間にある場合、前記シャッタ制御装置が、前記カメラ装置が写真を撮るように前記カメラ装置のシャッタをターンオン／オフすることを特徴とするシャッタ制御装置。
【請求項２】
互いに隣接する前記第１トリガ状態と前記第２トリガ状態との間のタイミングが下限より下である場合、前記シャッタ制御装置が、撮影動作をキャンセルするよう前記カメラ装置を制御することを特徴とする請求項１記載のシャッタ制御装置。
【請求項３】
互いに隣接する前記第１トリガ状態と前記第２トリガ状態との間のタイミングが上限より上である場合、前記シャッタ制御装置が、撮影動作をキャンセルするよう前記カメラ装置を制御することを特徴とする請求項１記載のシャッタ制御装置。
【請求項４】
前記シャッタ制御装置が、前記スイッチにトリガをかけるボタンを更に具え、前記ボタンが押されている間に前記スイッチが前記第１トリガ状態を生じ、前記ボタンが解除されている間に前記スイッチが前記第２トリガ状態を生じることを特徴とする請求項１記載のシャッタ制御装置。
【請求項５】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項１記載のシャッタ制御装置。
【請求項６】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項１記載のシャッタ制御装置。
【請求項７】
前記上限が前記下限より大きく、前記上限及び前記下限がいずれも正であることを特徴とする請求項１記載のシャッタ制御装置。
【請求項８】
カメラ装置のシャッタを制御するのに適したシャッタ制御装置であって、
出力端子と接地点との間に結合した抵抗と、
電源と前記出力端子との間に結合したスイッチとを具え、
前記スイッチが、第１トリガ状態及び第２トリガ状態を有し、前記スイッチが前記第１トリガ状態及び前記第２トリガ状態を順次生じる間、前記第１トリガ状態と前記第２トリガ状態との間のタイミングが、下限より下である場合、前記シャッタ制御装置が、前記カメラ装置が写真を撮るように前記カメラ装置のシャッタをターンオン／オフすることを特徴とするシャッタ制御装置。
【請求項９】
互いに隣接する前記第１トリガ状態と前記第２トリガ状態との間のタイミングが上限より上である場合、前記シャッタ制御装置が、撮影動作をキャンセルするよう前記カメラ装置を制御することを特徴とする請求項８記載のシャッタ制御装置。
【請求項１０】
前記シャッタ制御装置が、前記スイッチにトリガをかけるボタンを更に具え、前記ボタンが押されている間に前記スイッチが前記第１トリガ状態を生じ、前記ボタンが解除されている間に前記スイッチが前記第２トリガ状態を生じることを特徴とする請求項８記載のシャッタ制御装置。
【請求項１１】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項８記載のシャッタ制御装置。
【請求項１２】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項８記載のシャッタ制御装置。
【請求項１３】
カメラ装置のシャッタを制御するのに適したシャッタ制御方法であって、前記カメラ装置がスイッチを有し、前記スイッチが第１トリガ状態及び第２トリガ状態を有し、
前記第１トリガ状態及び前記第２トリガ状態を順次生じるステップと、
前記第２トリガ状態を生じる間に、前記第１トリガ状態と前記第２トリガ状態との間のタイミングを見積もるステップと、
前記第１トリガ状態と前記第２トリガ状態との間のタイミングが上限と下限との間にある場合、前記カメラ装置のシャッタをターンオン／オフして、前記カメラ装置が写真をとることを特徴とする方法。
【請求項１４】
前記第１トリガ状態及び前記第２トリガ状態を生じるステップが、前記第１トリガ状態を生じた後に前記カメラ装置と撮影する対象との間の焦点を自動的に合わせるステップを具えることを特徴とする請求項１３記載の方法。
【請求項１５】
前記第１トリガ状態と前記第２トリガ状態との間のタイミングが上限と下限との間にある場合、前記カメラ装置のシャッタをターンオン／オフし、前記カメラ装置の撮影ステップが、前記第１トリガ状態と前記第２トリガ状態との間のタイミングが下限より下にある場合に前記カメラ装置が撮影動作をキャンセルするステップを更に具えることを特徴とする請求項１３記載の方法。
【請求項１６】
前記第１トリガ状態と前記第２トリガ状態との間のタイミングが上限と下限との間にある場合、前記カメラ装置のシャッタをターンオン／オフし、前記カメラ装置の撮影ステップが、前記第１トリガ状態と前記第２トリガ状態との間のタイミングが上限より上にある場合に前記カメラ装置が撮影動作をキャンセルするステップを更に具えることを特徴とする請求項１３記載の方法。
【請求項１７】
前記第１トリガ状態及び前記第２トリガ状態を順次生じるステップが、ボタンによって前記スイッチにトリガをかけ、前記ボタンが押されている間に前記スイッチが前記第１トリガ状態を生じ、前記ボタンが解除されている間に前記スイッチが前記第２トリガ状態を生じるステップを更に具えることを特徴とする請求項１３記載の方法。
【請求項１８】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項１３記載の方法。
【請求項１９】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項１３記載の方法。
【請求項２０】
前記上限が前記下限より大きく、前記上限及び前記下限がいずれも正であることを特徴とする請求項１３記載の方法。
【請求項２１】
カメラ装置のシャッタを制御するのに適したシャッタ制御方法であって、前記カメラ装置がスイッチを有し、前記スイッチが第１トリガ状態及び第２トリガ状態を有し、
前記第１トリガ状態及び前記第２トリガ状態を順次生じるステップと、
前記第２トリガ状態を生じる間に、前記第１トリガ状態と前記第２トリガ状態との間のタイミングを見積もるステップと、
前記第１トリガ状態と前記第２トリガ状態との間のタイミングが下限より下である場合、前記カメラ装置のシャッタをターンオン／オフして、前記カメラ装置が写真をとることを特徴とする方法。
【請求項２２】
前記第１トリガ状態及び前記第２トリガ状態を生じるステップが、前記第１トリガ状態を生じた後に前記カメラ装置と撮影する対象との間の焦点を自動的に合わせるステップを具えることを特徴とする請求項２１記載の方法。
【請求項２３】
前記第１トリガ状態と前記第２トリガ状態との間のタイミングが下限より下である場合、前記カメラ装置のシャッタをターンオン／オフし、前記カメラ装置の撮影ステップが、前記第１トリガ状態と前記第２トリガ状態との間のタイミングが上限より上にある場合に前記カメラ装置が撮影動作をキャンセルするステップを更に具えることを特徴とする請求項２１記載の方法。
【請求項２４】
前記第１トリガ状態及び前記第２トリガ状態を順次生じるステップが、ボタンによって前記スイッチにトリガをかけ、前記ボタンが押されている間に前記スイッチが前記第１トリガ状態を生じ、前記ボタンが解除されている間に前記スイッチが前記第２トリガ状態を生じるステップを更に具えることを特徴とする請求項２１記載の方法。
【請求項２５】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項２１記載の方法。
【請求項２６】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項２１記載の方法。
【請求項２７】
レンズモジュールと、
信号処理モジュールに結合した画像検出モジュールと、
前記レンズモジュールと前記画像検出モジュールとの間に配置されたシャッタと、
前記シャッタをターンオン／オフするように前記シャッタに結合したシャッタ制御装置とを具え、
前記シャッタ制御装置がスイッチを具え、前記スイッチが、第１トリガ状態及び第２トリガ状態を有し、前記スイッチが前記第１トリガ状態及び前記第２トリガ状態を順次生じる間、前記第１トリガ状態と前記第２トリガ状態との間のタイミングが、上限と下限との間にある場合、前記シャッタ制御装置が、前記カメラ装置のシャッタをターンオン／オフし、前記画像検出モジュールが、前記レンズモジュールを通じて画像を検出し、前記信号処理モジュールに信号を出力して、前記カメラ装置が写真をとることを特徴とするカメラ装置。
【請求項２８】
前記シャッタ制御装置が、出力端子と接地点との間に結合した抵抗を更に具え、前記スイッチを電源と前記出力端子との間に結合したことを特徴とする請求項２７記載のカメラ装置。
【請求項２９】
互いに隣接する前記第１トリガ状態と前記第２トリガ状態との間のタイミングが下限より下である場合、前記シャッタ制御装置が、撮影動作をキャンセルするよう前記カメラ装置を制御することを特徴とする請求項２７記載のカメラ装置。
【請求項３０】
互いに隣接する前記第１トリガ状態と前記第２トリガ状態との間のタイミングが上限より上である場合、前記シャッタ制御装置が、撮影動作をキャンセルするよう前記カメラ装置を制御することを特徴とする請求項２７記載のカメラ装置。
【請求項３１】
前記シャッタ制御装置が、前記スイッチにトリガをかけるボタンを更に具え、前記ボタンが押されている間に前記スイッチが前記第１トリガ状態を生じ、前記ボタンが解除されている間に前記スイッチが前記第２トリガ状態を生じることを特徴とする請求項２７記載のカメラ装置。
【請求項３２】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項２７記載のカメラ装置。
【請求項３３】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項２７記載のカメラ装置。
【請求項３４】
前記上限が前記下限より大きく、前記上限及び前記下限がいずれも正であることを特徴とする請求項２７記載のカメラ装置。
【請求項３５】
前記スイッチが前記第１トリガ状態を生じ、前記信号処理モジュールが、前記カメラ装置と撮影する対象との間の焦点を自動的に合わせるようにオートフォーカス信号を前記レンズモジュールに出力することを特徴とする請求項２７記載のカメラ装置。
【請求項３６】
レンズモジュールと、
信号処理モジュールに結合した画像検出モジュールと、
前記レンズモジュールと前記画像検出モジュールとの間に配置されたシャッタと、
前記シャッタをターンオン／オフするように前記シャッタに結合したシャッタ制御装置とを具え、
前記シャッタ制御装置がスイッチを具え、前記スイッチが、第１トリガ状態及び第２トリガ状態を有し、前記スイッチが前記第１トリガ状態及び前記第２トリガ状態を順次生じる間、前記第１トリガ状態と前記第２トリガ状態との間のタイミングが、下限より下である場合、前記シャッタ制御装置が、前記カメラ装置のシャッタをターンオン／オフし、前記画像検出モジュールが、前記レンズモジュールを通じて画像を検出し、前記信号処理モジュールに信号を出力して、前記カメラ装置が写真をとることを特徴とするカメラ装置。
【請求項３７】
前記シャッタ制御装置が、出力端子と接地点との間に結合した抵抗を更に具え、前記スイッチを電源と前記出力端子との間に結合したことを特徴とする請求項３５記載のカメラ装置。
【請求項３８】
互いに隣接する前記第１トリガ状態と前記第２トリガ状態との間のタイミングが上限より上である場合、前記シャッタ制御装置が、撮影動作をキャンセルするよう前記カメラ装置を制御することを特徴とする請求項３５記載のカメラ装置。
【請求項３９】
前記シャッタ制御装置が、前記スイッチにトリガをかけるボタンを更に具え、前記ボタンが押されている間に前記スイッチが前記第１トリガ状態を生じ、前記ボタンが解除されている間に前記スイッチが前記第２トリガ状態を生じることを特徴とする請求項３５記載のカメラ装置。
【請求項４０】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項３５記載のカメラ装置。
【請求項４１】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項３５記載のカメラ装置。
【請求項４２】
前記スイッチが前記第１トリガ状態を生じ、前記信号処理モジュールが、前記カメラ装置と撮影する対象との間の焦点を自動的に合わせるようにオートフォーカス信号を前記レンズモジュールに出力することを特徴とする請求項３５記載のカメラ装置。
【請求項４３】
レンズモジュールと、
信号処理モジュールに結合した画像検出モジュールと、
前記レンズモジュールと前記画像検出モジュールとの間に配置されたシャッタと、
前記レンズモジュール及び前記シャッタを制御するスイッチを有するシャッタ制御装置とを具え、
前記スイッチが、第１トリガ状態及び第２トリガ状態を有し、前記スイッチが前記第１トリガ状態を生じる間、前記レンズモジュールが自動的に焦点を合わせ、前記スイッチが前記第２トリガ状態を生じる間、前記シャッタ制御装置が前記シャッタをターンオン／オフして、前記画像検出装置が前記レンズモジュールを通じて画像を検出することを特徴とするカメラ装置。
【請求項４４】
前記シャッタ制御装置が、出力端子と接地点との間に結合した抵抗を更に具え、前記スイッチを電源と前記出力端子との間に結合したことを特徴とする請求項４３記載のカメラ装置。
【請求項４５】
前記シャッタ制御装置が、前記スイッチにトリガをかけるボタンを更に具え、前記ボタンが押されている間に前記スイッチが前記第１トリガ状態を生じ、前記ボタンが解除されている間に前記スイッチが前記第２トリガ状態を生じることを特徴とする請求項４３記載のカメラ装置。
【請求項４６】
前記第１トリガ状態が、前記スイッチがオン状態から開回路状態に切り替わるトリガ状態を表し、前記第２トリガ状態が、前記スイッチが開回路状態からオン状態に切り替わるトリガ状態を表すことを特徴とする請求項４３記載のカメラ装置。
【請求項４７】
前記第１トリガ状態が、前記スイッチが開回路状態からオン状態に切り替わるトリガ状態を表し、前記第２トリガ状態が、前記スイッチがオン状態から開回路状態に切り替わるトリガ状態を表すことを特徴とする請求項４３記載のカメラ装置。
【発明の詳細な説明】
【技術分野】
【０００１】
本発明は、カメラ装置のシャッタ制御装置に関する。更に詳しくは、本発明は、単一スイッチを用いてシャッタをターンオン／オフするシャッタ制御装置及びその方法に関する。
【背景技術】
【０００２】
移動通信装置又は家電製品（例えば、デジタルカメラ）の設計は、通常、小型軽量化の方向に向かっており、機能の増大に従って、回路用の装置のスペースがだんだん小さくなっている。したがって、制限されたスペース内での最小の回路素子又は構造設計で同一機能を達成する方法は、移動通信装置の開発の主な課題である。
【０００３】
今日、デジタルカメラの機能は、移動装置において他の重要な機能となりつつある。しかしながら、一般的なデジタルカメラのシャッタは、通常、２ステップスイッチによって制御される。図１は、従来のシャッタ制御回路の図である。図１に示すように、スイッチＳ１及びＳ２はそれぞれ、出力端子ＯＵＴ１及びＯＵＴ２の出力電圧レベルを制御する。スイッチＳ１がターンオンされている間、出力端子ＯＵＴ１の電圧レベルは高電圧レベルとなり、この場合、デジタルカメラが焦点を合わせる。スイッチＳ２がターンオンされている間、出力端子ＯＵＴ２の電圧レベルは高電圧レベルとなり、この場合、デジタルカメラが写真を撮る。
【０００４】
しかしながら、図１に示す回路が多数の構成要素を必要とするので、この回路を移動通信装置のシャッタ制御に採用する場合には大きなスペースを必要とする。同一機能を有するシャッタ制御を少数の構成要素又はソフトウェアの助けによって達成できる場合、移動通信装置のスペース効率を増大し、かつ、整合コストを減少することができる。
【発明の開示】
【０００５】
したがって、本発明は、回路設計を簡単にするとともに構成要素のコストを減少するために、スイッチの二つのトリガ（オン状態から開回路状態への切替及び開回路状態からオン状態への切替）間のタイミングによってカメラ装置のオートフォーカス及びシャッタのオン／オフを制御する、カメラ装置のシャッタ制御装置を提供することを目的とする。
【０００６】
本発明の他の態様によれば、回路設計を簡単にするとともに構成要素のコストを減少するために、スイッチの二つの状態に従ってカメラ装置のオートフォーカス及びシャッタのオン／オフをそれぞれ制御する、カメラ装置のシャッタ制御装置を提供する。
【０００７】
本発明の他の態様によれば、回路設計を簡単にするとともに構成要素のコストを減少するために、スイッチの二つのトリガ状態間のタイミングに従ってカメラ装置のオートフォーカス及びシャッタのオン／オフを制御する、カメラ装置のシャッタ制御方法を提供する。
【０００８】
本発明の他の態様によれば、回路設計を簡単にするとともに構成要素のコストを減少するために、単一ボタンを押すタイミングに従ってオートフォーカス及びシャッタのオン／オフを制御するカメラ装置を提供する。
【０００９】
本発明の他の態様によれば、回路設計を簡単にするとともに構成要素のコストを減少するために、スイッチの二つのトリガ状態に従ってオートフォーカス及びシャッタのオン／オフを制御するカメラ装置を提供する。
【００１０】
これら及び他の目的を達成するために、本発明は、カメラ装置のシャッタを制御するのに適したシャッタ制御装置であって、出力端子、電源、接地点、スイッチ及び抵抗を有するシャッタ制御装置を提供する。スイッチは、電源と出力端子との間に結合され、抵抗は、出力端子と接地点との間に結合される。
【００１１】
この場合、スイッチは、第１トリガ状態及び第２トリガ状態を有する。スイッチが第１トリガ状態を生じる間、カメラ装置は自動的に焦点を合わせる。次に、スイッチが第２トリガ状態を生じる間、互いに隣接する第１トリガ状態と第２トリガ状態との間のタイミングが上限と下限との間にある場合、シャッタ制御装置は、カメラ装置のシャッタをターンオン／オフして、カメラ装置が写真を撮る。本発明の一例において、前記第１トリガ状態が、前記スイッチが開回路状態からオン状態に切り替わるトリガ状態を表し、前記第２トリガ状態が、前記スイッチがオン状態から開回路状態に切り替わるトリガ状態を表す。
【００１２】
本発明の他の態様によれば、カメラ装置のシャッタを制御するのに適したシャッタ制御方法を提供する。カメラ装置は、第１トリガ状態及び第２トリガ状態を有するスイッチを有する。上記シャッタ制御装置は、以下のステップを有する。先ず、第１トリガ状態及び第２トリガ状態を順次生じる。第１トリガ状態を生じると、カメラ装置は自動的に焦点を合わせる。その後、第２トリガ状態を生じると、第１トリガ状態と第２トリガ状態との間のタイミングを見積もる。第１トリガ状態及び第２トリガ状態が上限と下限との間にある場合、カメラ装置のシャッタをターンオン／オフして、カメラ装置が写真を撮る。本発明の一例において、前記第１トリガ状態が、前記スイッチが開回路状態からオン状態に切り替わるトリガ状態を表し、前記第２トリガ状態が、前記スイッチがオン状態から開回路状態に切り替わるトリガ状態を表す。
【００１３】
概して、本発明は、レンズモジュール、画像検出モジュール、シャッタ、信号処理モジュール及び上記シャッタ制御装置を有するカメラ装置も提供する。上記信号処理モジュールは、画像検出モジュールの出力信号を処理するために画像検出モジュールに結合される。シャッタは、レンズモジュールと画像検出モジュールとの間に配置される。上記シャッタ制御装置は、第１トリガ状態と第２トリガ状態を有するスイッチを有する。
【００１４】
スイッチが第１トリガ状態を生じる間、カメラ装置は自動的に焦点を合わせる。スイッチが第１トリガ状態及び第２トリガ状態を順次生じる間、互いに隣接する第１トリガ状態と第２トリガ状態との間のタイミングが上限と下限との間にある場合、シャッタ制御装置は、カメラ装置のシャッタをターンオン／オフし、画像検出モジュールが、レンズモジュールを通じて画像を検出し、信号を信号処理モジュールに出力して、カメラが写真を撮る。本発明の一例において、前記第１トリガ状態が、前記スイッチが開回路状態からオン状態に切り替わるトリガ状態を表し、前記第２トリガ状態が、前記スイッチがオン状態から開回路状態に切り替わるトリガ状態を表す。
【００１５】
本発明の他の例において、カメラ装置は、スイッチが第１トリガ状態を生じる間も自動的に焦点を合わせることができる。次に、スイッチが第２トリガ状態を生じる間、カメラ装置は、シャッタをターンオン／オフして、画像検出モジュールが、レンズモジュールを通じて画像を検出する。
【００１６】
本発明の他の例によれば、前記第１トリガ状態が、前記スイッチが開回路状態からオン状態に切り替わるトリガ状態を表し、前記第２トリガ状態が、前記スイッチがオン状態から開回路状態に切り替わるトリガ状態を表す。
【００１７】
本発明の他の例によれば、シャッタはタイミング法によって制御され、カメラ装置のシャッタは、単一スイッチの（オン状態から開回路状態まで及び開回路状態からオン状態までの）二つのトリガ状態間のタイミングに従って制御され、したがって、従来に２スイッチ制御の機能を達成することができる。したがって、本発明を、小型のデジタルカメラに適用することができ、デジタルカメラの機能を有する移動通信装置のシャッタを制御するのに用いることができる。本発明の技術によって、移動通信装置のスペース効率を増大し、構成要素のコストを減少することができる。
【００１８】
本発明のこれら及び他の目的、構成及び効果を理解できるようにするために、添付図面を参照しながら好適な実施の形態を、以下説明する。
【００１９】
これまでの一般的な説明及びこれからの詳細な説明は、いずれも例示であり、本発明を更に説明することを意図したものである。
【発明を実施するための最良の形態】
【００２０】
図２は、本発明の実施の形態によるカメラ装置の線形ブロック図である。カメラ装置２００は、レンズモジュール２１０と、シャッタ制御装置２２０と、シャッタ２２５と、画像検出モジュール２３０と、信号処理モジュール２４０とを具える。シャッタ２２５は、レンズモジュール２１０と画像検出モジュール２３０との間に配置され、シャッタ制御装置２２０は、シャッタ２２５をターンオン／オフするためにシャッタ２２５に結合される。信号処理モジュール２４０は、画像検出モジュール２３０の出力を処理するために画像検出モジュール２３０に結合され、画像検出モジュール２３０は、シャッタ２２５がターンオンされて信号を信号処理モジュール２４０に出力する間に、レンズモジュール２１０を通じて画像を検出する。
【００２１】
シャッタ２２５が、カメラ装置２００が写真を撮る短い間だけターンオンされるので、シャッタ制御装置２２０は、短い間にシャッタ２５をターンオン及びオフする必要があり、すなわち、シャッタ２２５をターンオン／オフする動作を短時間に完了する必要があり、その結果、カメラ装置２００は短時間に写真を撮ることができる。
【００２２】
本実施の形態において、シャッタ制御装置２２０は、主にスイッチの第１トリガ状態と第２トリガ状態との間のタイミングに従ってシャッタ２２５をターンオン／オフする。本実施の形態において、第１トリガ状態は、スイッチが開回路状態からオン状態に切り替わるときのトリガ状態をいい、第２トリガ状態は、スイッチがオン状態から開回路状態に切り替わるときのトリガ状態をいう。スイッチが第１トリガ状態を生じた後、信号処理モジュール２４０は、オートフォーカス信号ＡＦＳをレンズモジュール２１０に出力し、その結果、レンズモジュール２１０は、カメラ装置２００と撮影される対象との間で自動的に焦点を合わせる。
【００２３】
次に、スイッチが第２トリガ状態を生じたとき、シャッタ制御装置２２０は、スイッチの第１トリガ状態と第２トリガ状態との間のタイミングを見積もり、そのタイミングを検出タイミングとして設定する。検出タイミングが上限と下限との間にある場合、シャッタ制御装置２２０は、シャッタ２２５をターンオン／オフし、その結果、画像検出モジュール２３０は、レンズモジュール２１０を通じて画像を検出し、カメラ装置２００は、画像検出モジュール２３０の検出を通じて写真を撮る。検出タイミングが上限より上又は下限より下である場合、シャッタ制御装置２２０は、撮影動作をキャンセルするようカメラ装置２００を制御する。
【００２４】
上限及び下限を、システム要求及びユーザ要求に従って設定することができ、この場合、上限は下限より大きく、上限及び下限をいずれも正とする。本発明において、第１トリガ状態と第２トリガ状態との間の検出が上限より小さいか否かを検出することができ、下限との関係を、システム要求及びユーザ要求に従って無視することができる。本発明の他の実施の形態において、第1トリガ状態は、スイッチがオン状態から開回路状態に切り替わるトリガ状態を意味し、第２トリガ状態は、スイッチが開回路状態からオン状態に切り替わるトリガ状態を意味する。同様に、カメラ装置のシャッタを、第１トリガ状態と第２トリガ状態との間のタイミングに従って制御することができる。当業者は、本発明の開示から理解することができ、したがって、再び説明しない。
【００２５】
上記シャッタ制御装置２２０の主要な構成要素はスイッチである。図３は、本実施の形態のシャッタ制御装置の回路図である。シャッタ制御装置２２０は、電源ＶＣＣと、スイッチＳ３と、抵抗３１０と、出力端子ＯＵＴとを有する。スイッチＳ３は、電源ＶＣＣと出力端子ＯＵＴとの間に結合され、抵抗３１０は、出力端子ＯＵＴと接地点ＧＮＤとの間に結合される。スイッチＳ３がターンオンされる間、出力端子ＯＵＴは高電圧レベルであり、スイッチＳ３が開回路状態である間、出力端子ＯＵＴは低電圧レベルである。シャッタ制御装置２２０は、出力端子ＯＵＴの電圧レベルの変化に従ってスイッチＳ３の第１トリガ状態と第２トリガ状態との間のタイミングすなわち検出タイミングを見積もることができる。
【００２６】
スイッチＳ３が第１トリガ状態を生じる間、カメラ装置２００は自動的に焦点を合わせる。次に、スイッチＳ３が第２鳥が状態を生じる間、シャッタ制御装置２２０は、スイッチＳ３の第１トリガ状態と第２トリガ状態との間のタイミングに従ってシャッタ２２５をターンオンするかターンオフするかを決定し、すなわち、検出タイミングに従ってシャッタ２２５をターンオン／オフする。検出タイミングが上限と下限との間にある場合、シャッタ制御装置２２０は、カメラ装置２００のシャッタ２２５をターンオン／オフし、その結果、カメラ２００は写真を撮る。検出タイミングが上限より上又は下限より下である場合、カメラ装置２００は、撮影動作をキャンセルする。検出タイミングを、出力端子おＵＴの電圧レベルの変化から見積もることができる。
【００２７】
本実施の形態において、スイッチＳ３をボタンによってターンオン／オフすることができ、ボタンが押されてる間、スイッチＳ３は開回路状態からオン状態に切り替わり（すなわち、第１トリガ状態を生じる。）、ボタンが解除されている間、スイッチＳ３はオン状態から開回路状態に切り替わる（すなわち、第２トリガ状態を生じる。）したがって、ユーザがボタンを押すとき、カメラ装置２００はオートフォーカスを開始する。その後、ユーザがボタンを解除すると、シャッタ制御装置２２０は、ボタンを押すユーザのタイミングを見積もる。タイミングが上限と下限との間にある場合、シャッタ制御装置２２０は、シャッタ２２５をターンオン／オフし、その結果、カメラ装置２３０は、レンズモジュール２１０を通じて画像を検出することができる。画像検出モジュール２３０は、変換された信号を、信号処理用の画像処理モジュール２４０に送信し、その結果、カメラ装置２００は写真を撮る。ボタンを押すユーザのタイミングが下限より下又は上限より上である場合、カメラ装置２００は撮影動作をキャンセルする。
【００２８】
上記下限及び上限をユーザによって設定することができる。下限は、ユーザが誤ってボタンを押すのを防止するためのものであり、上限を、カメラ装置２００のオートフォーカス時間及びユーザの癖に従って設定することができる。下限と上限の両方をユーザ要求に従って設定することができるが、上限を下限より大きくする必要があり、両方とも正である。本発明において、第１トリガ状態と第２トリガ状態との間のタイミング及び上限の関係のみを、システム要求及びユーザ要求に従って検出することができ、下限との関係を無視することができる。技術的な詳細は当業者によって理解されるべきであり、再び説明しない。
【００２９】
次に、シャッタ制御装置２２０の主な波形信号を、以後詳細に説明する。図４は、本発明のシャッタ制御装置の信号波形である。信号Ｗ１，Ｗ２及びＷ３は、出力端末ＯＵＴの信号波形である。信号Ｗ１は、通常動作の下での信号波形である。スイッチＳ３は、時間ｔａで（開回路状態からオン状態への）第１トリガ状態を生じ、タイミングＴ１すなわち時間ｔｂで（オン状態から開回路状態への）第２トリガ状態を生じる。
【００３０】
スイッチＳ３は、検出タイミングＴ１中にターンオンされ、したがって、信号Ｗ１は、検出タイミングＴ１中に高電圧レベルとなる。スイッチＳ３の第１トリガ状態と第２トリガ状態との間のタイミング（すなわち、検出タイミングＴ１）を、信号Ｗ１の電圧レベル変化に従って見積もることができる。信号Ｗ１によって示すように、信号処理モジュール２４０は、カメラ装置２００と撮影される対称との間で自動的に焦点を合わせるために時間ｔａの後にオートフォーカス信号ＡＦＳをレンズモジュール２１０に出力する。検出タイミングＴ１が下限Ｔｄと上限Ｔｕとの間にあるので、シャッタ制御装置２２０は、時間ｔｂの後にシャッタ２２５をターンオン／オフし、その結果、カメラ装置２００は画像を検出し、写真を撮る。
【００３１】
信号Ｗ２は、タイミングＴ２が下限Ｔｄより小さいときの信号波形である。信号Ｗ２によって示すように、スイッチＳ３は、検出タイミングＴ２中にターンオンされる。検出タイミングＴ２が下限Ｔｄより小さいので、カメラ装置２００は、検出タイミングＴ２が経過した後に撮影動作をキャンセルする。信号Ｗ３は、検出タイミングＴ３が上限Ｔｕより大きいときの信号波形である。信号Ｗ３によって示すように、スイッチＳ３は、検出タイミングＴ３中にターンオンされる。タイミングＴ３が上限Ｔｕより大きいので、カメラ装置２００は、検出タイミングＴ３が経過した後に撮影動作をキャンセルする。
【００３２】
本実施の形態において、本発明の技術を、一例としてターンオンされるスイッチＳ３のタイミングを用いて説明する。本発明の他の実施の形態において、開回路状態のスイッチＳ３のタイミングを、本発明を実現するのに用いることもでき、開回路状態のスイッチＳ３のタイミングを、出力端子ＯＵＴの電圧レベル変化に従って見積もることもでき、カメラ装置２００のシャッタ２２５をこのタイミングに従ってターンオン／オフする。その実現方法は当業者によって理解されるべきであり、ここでは説明しない。さらに、第１トリガ状態と第２トリガ状態との間のタイミングが上限Ｔｕより下であるか否かを、システム要求及びユーザ要求に従って検出することができ、下限Ｔｄを無視することができる。この場合、図４に示す信号Ｗ１及び信号Ｗ２の両方は写真を撮っている。単一スイッチの二つのトリガ状態を用いて焦点及びシャッタを制御する種々の方法は、本発明の範囲内であり、当業者によって理解されるべきであり、再び説明しない。
【００３３】
図２及び３で言及した本発明の他の実施の形態において、カメラ装置２００のオートフォーカス動作及びターンオン／オフ動作を、スイッチＳ３の二つのトリガ状態（第１トリガ状態及び第２トリガ状態）を用いて制御することができる。スイッチＳ３が第１トリガ状態を生じるとき、カメラ装置２００は自動的に焦点を合わせ、その後、スイッチＳ３が第２トリガ状態を生じるとき、シャッタ制御装置２２０はシャッタ２２５をターンオン／オフし、その結果、カメラ装置２００は写真を撮る。本実施の形態の残りの詳細は、当業者によって理解されるべきであり、再び説明しない。
【００３４】
図５は、本発明の他の実施の形態によるシャッタ制御方法を示すフローチャートである。シャッタ制御方法は、カメラ装置２００のシャッタ２２５を制御するのに適切である。カメラ装置２００はスイッチＳ３を有し、スイッチＳ３は、第１トリガ状態及び第２トリガ状態を有する。シャッタ制御方法は、次のステップを有する。先ず、ステップ５１０において、第１トリガ状態及び第２トリガ状態が順次生じる。本実施の形態において、スイッチＳ３は、（スイッチを開回路状態からオン状態に切り替える）第１トリガ状態を生じる。ここで、カメラ装置２００は、信号処理モジュール２４０及びレンズモジュール２１０を通じて自動的に焦点を合わせる。スイッチＳ３は、検出タイミングの後に（スイッチをオン状態から開回路状態に切り替える）第２トリガ状態を生じる。次に、ステップ５２０において、上記第１トリガ状態と第２トリガ状態との間のタイミングすなわち検出タイミングが見積もられる。
【００３５】
その後、ステップ５３０において、条件判断が実行される。検出タイミングが上限より上又は下限より下である場合、ステップ５３５に進み、撮影動作をキャンセルする。検出タイミングが上限と下限との間にある場合、ステップ５４０に進む。ステップ５４０において、シャッタ制御装置２２０はシャッタ２２５をターンオン／オフし、その結果、画像検出モジュール２３０は、レンズモジュール２１０を通じて画像を検出する。次に、ステップ５５０において、画像検出モジュール２３０が、検出された画像に従う信号を、処理すべき信号処理モジュール２４０に出力し、その結果、カメラ装置２００は写真を撮る。本実施の形態のシャッタ制御方法において、残りの詳細は、シャッタ制御装置の上記記載において説明され、当業者には理解することができ、再び説明しない。
【００３６】
図６は、本発明の他の実施の形態によるシャッタ制御方法を示すフローチャートである。先ず、ステップ６１０において、カメラ装置２００を初期化する。次に、ステップ６２０において、条件判断が実行され、シャッタ制御装置２２０は、スイッチＳ３が（スイッチを開回路状態からオン状態に切り替える）第１トリガ状態を生じるか否か決定し、否である場合、手順がステップ６１０に戻る。スイッチＳ３が第１トリガ状態を生じる場合、次のステップに進む。ステップ６３０において、カメラ装置２００は、信号処理モジュール２４０及びレンズモジュール２１０を通じて自動的に焦点を合わせる。次に、ステップ６４０において、条件判断に進み、シャッタ制御装置２２０が、スイッチＳ３が第２トリガ状態を生じたか否か決定し、否である場合、手順が６３０に戻り、カメラ装置２００は撮影を継続する。スイッチＳ３が第２トリガ状態を生じる場合、ステップ６５０に進む。
【００３７】
ステップ６５０において、シャッタ制御装置２２０は、検出タイミングが予め決定した条件に適合するか否かけってし、この場合、検出タイミングは、上記第１トリガ状態と第２トリガ状態との間のタイミングである。上記実施の形態において、予め決定された条件は、上限及び下限を含む。検出タイミングは、検出タイミングが上限と下限との間にある場合、予め決定された条件に適合し、そうでない場合、検出タイミングは、予め決定された条件に適合しない。本発明の他の実施の形態において、種々の予め決定された条件をユーザ要求又はシステム要求に従って設定することができる。例えば、上限については、検出タイミングが上限より下である場合、検出タイミングは、予め決定された条件に適合し、検出タイミングが上限より上である場合、検出タイミングは、予め決定された条件に適合しない。上記上限及び下限を、ユーザ要求又はシステム要求に従って設定することができる。
【００３８】
次に、検出タイミングが、予め決定された条件に適合する場合、ステップ６６０に進む。ステップ６６０において、シャッタ制御装置２２０はシャッタ２２５をターンオン／オフし、その結果、画像検出モジュール２３０は、レンズモジュール２１０を通じて画像を検出する。次に、ステップ６７０において、画像検出モジュール２３０は、検出された信号に従う信号を、処理すべき信号処理モジュール２４０に出力し、その結果、カメラ装置２００は写真をとる。本実施の形態のシャッタ制御方法において、残りの詳細は、上記シャッタ制御装置の記載で説明され、当業者によって理解されるべきであり、再び説明しない。
【００３９】
本発明において、カメラ設計及び構成要素数を簡単にするために、カメラ装置のシャッタは、タイミング法によって単一スイッチの（開回路状態からオン状態及びオン状態から開回路状態の）二つのトリガ状態に従ってターンオン／オフされ、これによって、回路に要求されるスペースを減少するとともに回路の製造コストを低減する。同時に、本発明は、移動通信装置に対して更に適切になる。
【００４０】
また、シャッタ制御方法は、本発明の他の実施の形態においても開示され、この場合、単一スイッチの二つのトリガ状態間のタイミングを検出するステップをスキップすることができ、その代わりに、オートフォーカス及びシャッタのターンオン／オフを、単一スイッチのトリガ状態シーケンスの検出を通じて実行することができる。この制御方法によれば、スイッチが第１トリガ状態を生じると、レンズモジュールは自動的に焦点を合わせ、次にスイッチが第２トリガ状態を生じると、シャッタ制御装置がシャッタをターンオン／オフし、その結果、画像検出モジュールは、レンズモジュールを通じて画像を検出する。本実施の形態によれば、二つのトリガ状態間のタイミングが検出されず、したがって、上限及び下限が存在しない。
【００４１】
本発明は、上記実施の形態に限定されるものではなく、幾多の変更及び変形が可能である。
【図面の簡単な説明】
【００４２】
【図１】従来のシャッタ制御回路の図である。
【図２】本発明の実施の形態によるカメラ装置の線形ブロック図である。
【図３】本実施の形態のシャッタ制御装置の回路図である。
【図４】本発明のシャッタ制御装置の信号波形である。
【図５】本発明の他の実施の形態によるシャッタ制御方法を示すフローチャートである。
【図６】本発明の他の実施の形態によるシャッタ制御方法を示すフローチャートである。
【図１】
2007164133.tif 000003
【図２】
2007164133.tif 000004
【図３】
2007164133.tif 000005
【図４】
2007164133.tif 000006
【図５】
2007164133.tif 000007
【図６】
2007164133.tif 000008